(57)【要約】【課題】ミリ波の受信状態を正確に取得する。【解決手段】通信端末（２）は、ミリ波送受信部（２１）と、外部接続部（２５）と、制御部（２４）と、を備え、制御部は、ミリ波送受信部が受信するミリ波の受信状態を取得し、取得した受信状態に係る受信状態データを、外部接続部を介して、当該通信端末の外部にある表示装置（３）に送信する。【選択図】図２
2019106689.tif 000002
【特許請求の範囲】
【請求項１】
受信部と、
送信部と、
制御部と、
を備える無線通信装置であって、
上記制御部は、
上記受信部が受信するミリ波の受信状態を取得し、
取得した上記受信状態に係る受信状態データを、上記送信部を介して、当該無線通信装置の外部にある表示装置に送信する
ことを特徴とする無線通信装置。
【請求項２】
外部の操作装置から操作データを受信する操作受信部をさらに備え、
上記制御部は、上記操作データを受信したときに、上記受信状態を取得することを特徴とする請求項１に記載の無線通信装置。
【請求項３】
上記受信状態は、ミリ波の到来方向、ならびに、受信電力および受信Ｓ／Ｎ比の少なくとも一方を含むことを特徴とする請求項１または２に記載の無線通信装置。
【請求項４】
上記受信状態データは、上記受信状態の時間的変化を表示するためのデータを含むことを特徴とする請求項３に記載の無線通信装置。
【請求項５】
上記受信状態に係る情報を表示する表示部をさらに備えていることを特徴とする請求項１から４の何れか１項に記載の無線通信装置。
【請求項６】
上記受信状態データは、ミリ波の到来方向に基づいて算出された、当該無線通信装置を動かすべき方向を含むことを特徴とする請求項１から５の何れか１項に記載の無線通信装置。
【請求項７】
上記無線通信装置は、映像データを生成する装置であって、上記受信状態を示す画像を、上記映像データに重畳させて上記表示装置に送信することを特徴とする請求項１から６の何れか１項に記載の無線通信装置。
【請求項８】
受信部と、
上記受信部が受信するミリ波の受信状態を取得する受信電波測定部と、
取得した上記受信状態に係る受信状態データを、当該無線通信装置の外部にある表示装置に送信する送信部と、
を備えることを特徴とする無線通信装置。
【請求項９】
ミリ波を受信する無線通信装置と、上記無線通信装置の外部にある表示装置とを備えた通信システムであって、
上記無線通信装置は、
受信部と、送信部と、制御部と、を備え、
上記制御部は、
上記受信部が受信するミリ波の受信状態を取得し、
取得した上記受信状態に係る受信状態データを、上記送信部を介して上記表示装置に送信し、
上記表示装置は、
表示受信部と、表示部と、表示制御部と、を備え、
上記表示制御部は、
上記表示受信部を介して上記無線通信装置から上記受信状態データを受信し、
受信した上記受信状態データに係る表示情報を上記表示部に表示する
ことを特徴とする通信システム。
【請求項１０】
ミリ波を受信する無線通信装置と、上記無線通信装置の外部にある表示装置とを備えた通信システムの表示方法であって、
上記無線通信装置が、ミリ波の受信状態を取得し、取得した受信状態に係る受信状態データを外部の表示装置に送信するステップと、
上記表示装置が、上記無線通信装置から上記受信状態データを受信し、表示するステップと、
を含んでいることを特徴とする表示方法。
【発明の詳細な説明】
【技術分野】
【０００１】
本発明は、無線通信装置、通信システム、および、表示方法に関する。
【背景技術】
【０００２】
ミリ波の周波数帯域では、無線信号の信号電力の伝播減衰がマイクロ波の周波数帯域に比べてより大きい。そのため、一般に、ミリ波による通信を行う無線通信装置（通信端末）では、所定方向に高い指向性を有するアンテナが用いられる。
【０００３】
例えば、特許文献１に開示された、ミリ波を用いた無線通信装置は、複数の異なる方向に指向性を有するアンテナと、当該無線通信装置の位置変化に対応した角度情報を検出するジャイロセンサとを搭載している。そして、無線通信装置は、基地局から受信した電波に基づいて、当該無線通信装置の現在の向きから見て、基地局からの電波がどの方向から到来するかを画面上に表示する。
【先行技術文献】
【特許文献】
【０００４】
【特許文献１】特開２０１２−０７８１７２号公報（２０１２年０４月１９日公開）
【発明の概要】
【発明が解決しようとする課題】
【０００５】
ある位置に固定して無線通信を行う、据え置き型の無線通信装置を、ミリ波の受信品質のよりよい位置に設置するために、電波の到来方向、受信電力、受信Ｓ／Ｎ比等を測定する必要がある。しかしながら、ユーザが無線通信装置を操作して電波の到来方向、受信電力、受信Ｓ／Ｎ比等を測定すると、人体、手等が電波を遮蔽してしまうので、正確な測定を行うことができないという問題がある。
【０００６】
本発明の一態様は、ミリ波の受信状態を正確に取得することを目的とする。
【課題を解決するための手段】
【０００７】
上記の課題を解決するために、本発明の一態様に係る無線通信装置は、受信部と、送信部と、制御部と、を備える無線通信装置であって、上記制御部が、上記受信部が受信するミリ波の受信状態を取得し、取得した上記受信状態に係る受信状態データを、上記送信部を介して、当該無線通信装置の外部にある表示装置に送信する。
【０００８】
また、上記の課題を解決するために、本発明の一態様に係る通信システムは、ミリ波を受信する無線通信装置と、上記無線通信装置の外部にある表示装置とを備えた通信システムであって、上記無線通信装置が、受信部と、送信部と、制御部と、を備え、上記制御部が、上記受信部が受信するミリ波の受信状態を取得し、取得した上記受信状態に係る受信状態データを、上記送信部を介して上記表示装置に送信し、上記表示装置が、表示受信部と、表示部と、表示制御部と、を備え、上記表示制御部が、上記表示受信部を介して上記無線通信装置から上記受信状態データを受信し、受信した上記受信状態データに係る表示情報を上記表示部に表示する。
【０００９】
また、上記の課題を解決するために、本発明の一態様に係る表示方法は、ミリ波を受信する無線通信装置と、上記無線通信装置の外部にある表示装置とを備えた通信システムの表示方法であって、上記無線通信装置が、ミリ波の受信状態を取得し、取得した受信状態に係る受信状態データを外部の表示装置に送信するステップと、上記表示装置が、上記無線通信装置から上記受信状態データを受信し、表示するステップと、を含んでいる。
【発明の効果】
【００１０】
本発明の一態様によれば、ミリ波の受信状態を正確に取得することができる。
【図面の簡単な説明】
【００１１】
【図１】本発明の実施形態１に係る無線通信システムの構成を示す図である。
【図２】本発明の実施形態１に係る無線通信システムの各機器の要部構成を示すブロック図である。
【図３】本発明の実施形態２に係る無線通信システムの構成を示す図である。
【図４】本発明の実施形態２に係る無線通信システムの各機器の要部構成を示すブロック図である。
【図５】本発明の実施形態３に係る矢印の表示に関する具体例を示す図である。
【図６】本発明の実施形態３に係る矢印の表示に関する具体例を示す図である。
【図７】本発明の実施形態３に係る矢印の表示に関する具体例を示す図である。
【発明を実施するための形態】
【００１２】
〔実施形態１〕
以下、本発明の実施形態１について、図１、図２を参照しながら、詳細に説明する。
【００１３】
（無線通信システム１）
図１は、本実施形態に係る無線通信システム（通信システム）１の構成を示す図である。図１に示すように、無線通信システム１は、通信端末（無線通信装置）２、表示装置３、制御端末（操作装置）４、および、基地局５を備えている。通信端末２と、表示装置３とは、ＨＤＭＩ（登録商標）ケーブル、ＵＳＢケーブル等の有線により通信を行うが、無線による通信を行ってもよい。通信端末２と、制御端末４とは、Ｗｉ−Ｆｉ（登録商標）、Ｂｌｕｅｔｏｏｔｈ（登録商標）等の無線により通信を行うが、有線による通信を行ってもよい。
【００１４】
本実施形態では、通信端末２と、表示装置３とが離れており、また、通信端末２と、制御端末４とが離れている。そして、表示装置３と、制御端末４とが別の機器になっている。
【００１５】
通信端末２は、据え置き型の端末であって、基地局５からミリ波を受信し、ミリ波の受信状態を測定し、測定した受信状態に係る受信状態データを表示装置３に送信する。測定した受信状態に係る受信状態データは、測定した受信状態に基づいたデータであり、測定した受信状態を示すデータ、測定した受信状態から推測したデータ、それらのデータに対応する画像等を示すデータ等であり得る。
【００１６】
表示装置３は、通信端末２の外部にあり、通信端末２から受信状態データを受信し、表示する。制御端末４は、ユーザの操作を受け付けて、受け付けた操作を示す操作データを通信端末２に送信する。ユーザは、制御端末４による遠隔操作にて、ミリ波の受信状態の測定、および、その表示を実行させる。この場合、通信端末２は、制御端末４から操作データを受信したときに、ミリ波の受信状態を測定する。基地局５は、通信端末２にミリ波を送信する。
【００１７】
なお、図１の無線通信システム１は、制御端末４を備えているが、制御端末４を備えていない構成、すなわち、通信端末２、表示装置３、および、基地局５を備えた構成であってもよい。
【００１８】
図２は、本実施形態に係る無線通信システム１の各機器の要部構成を示すブロック図である。
【００１９】
（通信端末２）
図２に示すように、通信端末２は、ミリ波送受信部（受信部）２１、受信電波測定部２２、記憶部２３、制御部２４、外部接続部（送信部）２５、および、外部接続部（操作受信部）２６を備えている。
【００２０】
ミリ波送受信部２１は、基地局５との間でミリ波を送受信する。ミリ波送受信部２１は、ビームフォーミング（電波を特定の方向から受信する技術）によりミリ波の到来方向を取得する。なお、ミリ波送受信部２１を搭載した部分が可動である構成（例えば、アンテナの向きを変更可能な構成）であってもよい。例えば、ミリ波送受信部２１は、アンテナを回転させることにより良好な受信状態に合わせることが可能なジャイロアンテナであってもよい。
【００２１】
受信電波測定部２２は、ミリ波送受信部２１が受信するミリ波の受信状態を測定する。受信電波測定部２２が測定する受信状態には、ミリ波の受信電力、受信Ｓ／Ｎ比の少なくとも一方が含まれる。また、ミリ波の受信状態には、ミリ波の到来方向が含まれる。なお、受信電波測定部２２は、ミリ波送受信部２１が受信するミリ波の受信状態を取得してもよい。記憶部２３は、受信電波測定部２２が測定したミリ波の受信状態に係る受信状態データを記憶する。
【００２２】
制御部２４は、通信端末２全体を制御する。制御部２４は、ミリ波送受信部２１が受信するミリ波の受信状態を取得し、取得した受信状態に係る受信状態データを、外部接続部２５を介して、通信端末２の外部にある表示装置３に送信する。
【００２３】
外部接続部２５は、表示装置３との間で通信を行う部分であり、例えば、有線による通信にて、受信電波測定部２２が測定、または、取得した受信状態に係る受信状態データを表示装置３に送信する。より具体的には、外部接続部２５は、ミリ波の到来方向と、ミリ波の受信電力および受信Ｓ／Ｎ比の少なくとも一方とを表示するためのデータを表示装置３に送信する。例えば、外部接続部２５は、ミリ波の到来方向に応じた向きと、ミリ波の受信電力および受信Ｓ／Ｎ比の少なくとも一方に応じた長さとを有する矢印を表示するためのデータを表示装置３に送信する。なお、外部接続部２５は、ミリ波の到来方向と、ミリ波の受信電力および受信Ｓ／Ｎ比の少なくとも一方とを表示するためのデータであれば、矢印とは異なるものを表示するためのデータを送信してもよい。
【００２４】
外部接続部２６は、制御端末４との間で通信を行う部分であり、例えば、Ｗｉ−Ｆｉ、Ｂｌｕｅｔｏｏｔｈ等の無線による通信にて、外部の制御端末４からユーザの操作を示す操作データを受信する。この場合、受信電波測定部２２は、制御端末４から操作データを受信したときに、ミリ波の受信状態を測定してもよい。また、制御部２４は、制御端末４から操作データを受信したときに、ミリ波の受信状態を取得してもよい。
【００２５】
通信端末２は、ミリ波の受信状態を、リアルタイムに、または、定期的に表示装置３に送信してもよいし、制御端末４が測定の実行を指示する入力操作を受け付けたときに、そのときのミリ波の受信状態を表示装置３に送信してもよい。
【００２６】
なお、通信端末２は、制御部２４が取得したミリ波の受信状態に係る情報を表示する表示部（図示せず）をさらに備えていてもよい。また、通信端末２は、映像データを生成する装置（例えば、ＳＴＢ（Set Top Box）等）であって、ミリ波の受信状態を示す画像を、映像データに重畳させて表示装置３に送信してもよい。
【００２７】
（表示装置３）
図２に示すように、表示装置３は、外部接続部（表示受信部）３１、表示部３２、および、制御部（表示制御部）３３を備えている。外部接続部３１は、通信端末２との間で通信を行う部分であり、例えば、有線による通信にて、通信端末２が取得した受信状態に係る受信状態データを通信端末２から受信する。表示部３２は、表示画面であり、例えば、外部接続部３１が受信した受信状態データに基づいて、通信端末２におけるミリ波の受信状態に係る情報を表示する。制御部３３は、表示装置３全体を制御する部分であり、例えば、外部接続部３１を介して通信端末２から受信状態データを受信し、受信した受信状態データに係る表示情報を表示部３２に表示する。
【００２８】
表示装置３は、通信端末２におけるミリ波の受信状態を、リアルタイムに、または、定期的に表示部３２に表示してもよいし、制御端末４が測定の実行を意図する入力操作を受け付けたときに、そのときの通信端末２におけるミリ波の受信状態を表示部３２に表示してもよい。
【００２９】
（制御端末４）
図２に示すように、制御端末４は、入出力部４１、外部接続部４２、および、制御部４３を備えている。入出力部４１は、ユーザとの間で入力操作の受付およびデータの出力を行う部分である。外部接続部４２は、通信端末２との間で通信を行う部分であり、例えば、Ｗｉ−Ｆｉ、Ｂｌｕｅｔｏｏｔｈ等の無線による通信にて、ユーザの操作を示す操作データを通信端末２に送信する。制御部４３は、制御端末４全体を制御する部分であり、例えば、入出力部４１が受け付けたユーザの入力操作を示す操作データを、外部接続部４２に通信端末２へ送信させる。
【００３０】
（実施形態１の効果）
通信端末２の外部にある表示装置３は、ミリ波を送信する基地局５と、ミリ波を受信する通信端末２との間の通信状況を表示する。これにより、人体、人の手等による遮蔽の影響を受けない状況において、ミリ波の受信状態を正確に測定することが可能になる。
【００３１】
また、通信端末２の外部にある制御端末４を、ユーザが操作することにより、通信端末２が受信するミリ波の到来方向、および、受信電力または受信Ｓ／Ｎ比を、通信端末２の外部にある表示装置３の表示部３２が表示する。これにより、ユーザが操作することによって生じるミリ波の遮蔽を起こさせることなく、ミリ波の到来方向、および、受信電力または受信Ｓ／Ｎ比の変化を表示することができる。
【００３２】
上記によれば、ユーザが通信端末２をより良好な受信環境に設置するように支援することができる。
【００３３】
〔実施形態２〕
以下、本発明の実施形態２について、図３、図４を参照しながら、詳細に説明する。なお、説明の便宜上、実施形態１にて説明した部材と同じ機能を有する部材については、同じ符号を付記し、その説明を繰り返さない。
【００３４】
（無線通信システム１ａ）
図３は、本実施形態に係る無線通信システム（通信システム）１ａの構成を示す図である。図３に示すように、無線通信システム１ａは、通信端末（無線通信装置）２ａ、制御端末（表示装置、操作装置）４ａ、および、基地局５を備えている。通信端末２ａと、制御端末４ａとは、Ｗｉ−Ｆｉ、Ｂｌｕｅｔｏｏｔｈ等の無線により通信を行うが、有線による通信を行ってもよい。制御端末４ａは、例えば、スマートフォン、タブレット端末等により構成される。
【００３５】
通信端末２ａは、基地局５からミリ波を受信し、ミリ波の受信状態を測定し、測定した受信状態に係る受信状態データを制御端末４ａに送信する。制御端末４ａは、通信端末２ａの外部にあり、通信端末２ａから受信状態データを受信し、表示する。また、制御端末４ａは、ユーザの操作を受け付けて、受け付けた操作を示す操作データを通信端末２に送信する。この場合、通信端末２ａは、制御端末４ａから操作データを受信したときに、ミリ波の受信状態を測定する。基地局５は、実施形態１と同様に、通信端末２ａにミリ波を送信する。
【００３６】
本実施形態では、実施形態１における表示装置３と、制御端末４とが一体化した制御端末４ａが備えられている。
【００３７】
図４は、本実施形態に係る無線通信システム１ａの各機器の要部構成を示すブロック図である。
【００３８】
（通信端末２ａ）
図４に示すように、通信端末２ａは、ミリ波送受信部２１、受信電波測定部２２、記憶部２３、制御部２４、および、外部接続部（送信部、操作受信部）２７を備えている。ミリ波送受信部２１、受信電波測定部２２、記憶部２３、および、制御部２４は、実施形態１と同様に動作する。外部接続部２７は、制御端末４ａとの間で通信を行う部分であり、例えば、Ｗｉ−Ｆｉ、Ｂｌｕｅｔｏｏｔｈ等の無線による通信にて、外部の制御端末４からユーザの操作を示す操作データを受信し、また、ミリ波送受信部２１、受信電波測定部２２が測定、または、取得した受信状態に係る受信状態データを制御端末４ａに送信する。
【００３９】
なお、通信端末２ａは、ミリ波送受信部２１、受信電波測定部２２が測定したミリ波の受信状態に係る受信状態データを表示する表示部（図示せず）をさらに備えていてもよい。
【００４０】
（制御端末４ａ）
図４に示すように、制御端末４ａは、タッチパネル部（表示部）４４、外部接続部（表示受信部）４５、および、制御部（表示制御部）４６を備えている。タッチパネル部４４は、ユーザとの間で入力操作の受付およびデータの出力を行う部分である。すなわち、タッチパネル部４４は、実施形態１における、表示装置３の表示部３２の機能と、制御端末４の入出力部４１の機能とを併せ持つ。外部接続部４５は、通信端末２との間で通信を行う部分であり、例えば、Ｗｉ−Ｆｉ、Ｂｌｕｅｔｏｏｔｈ等の無線による通信にて、ユーザの操作を示す操作データを通信端末２に送信し、また、通信端末２ａが測定した受信状態に係る受信状態データを通信端末２ａから受信する。制御部４６は、制御端末４ａ全体を制御する部分であり、例えば、タッチパネル部４４が受け付けたユーザの入力操作を示す操作データを、外部接続部４５に通信端末２ａへ送信させ、また、外部接続部４５を介して通信端末２ａから受信状態データを受信し、受信した受信状態データに係る表示情報をタッチパネル部４４に表示する。
【００４１】
制御端末４ａは、通信端末２ａにおけるミリ波の受信状態を、リアルタイムにタッチパネル部４４に表示してもよいし、制御端末４ａが測定の実行を意図する入力操作を受け付けたときに、そのときの通信端末２ａにおけるミリ波の受信状態をタッチパネル部４４に表示してもよい。
【００４２】
（実施形態２の効果）
通信端末２ａの外部にある制御端末４ａは、ミリ波を送信する基地局５と、ミリ波を受信する通信端末２ａとの間の通信状況を表示する。これにより、人体、人の手等による遮蔽の影響を受けない状況において、ミリ波の受信状態を正確に測定することが可能になる。
【００４３】
また、通信端末２ａの外部にある制御端末４ａを、ユーザが操作することにより、通信端末２ａが受信するミリ波の到来方向、および、受信電力または受信Ｓ／Ｎ比を、通信端末２ａの外部にある制御端末４ａのタッチパネル部４４が表示する。これにより、ユーザが操作することによって生じるミリ波の遮蔽を起こさせることなく、ミリ波の到来方向、および、受信電力または受信Ｓ／Ｎ比の変化を表示することができる。
【００４４】
上記によれば、ユーザが通信端末２ａをより良好な受信環境に設置するように支援することができる。
【００４５】
〔実施形態３〕
以下、本発明の実施形態３について、図５、図６、図７を参照しながら、詳細に説明する。なお、説明の便宜上、実施形態１、２にて説明した部材と同じ機能を有する部材については、同じ符号を付記し、その説明を繰り返さない。
【００４６】
本実施形態では、表示装置３の表示部３２、および、制御端末４ａのタッチパネル部４４が表示する矢印に関する具体例を示す。図５、図６、図７は、実施形態１の表示部３２における矢印の表示例を示すが、実施形態２のタッチパネル部４４にも適用可能である。表示部３２、および、タッチパネル部４４は、例えば、矢印を他の映像と重畳させて表示してもよい。
【００４７】
図５（ａ）は、本実施形態に係る矢印の表示に関する具体例を示す図である。図５（ａ）に示すように、表示部３２は、図面に向かって左側に通信端末２の正面図を表示し、図面に向かって右側に通信端末２の上面図を表示する。表示部３２は、通信端末２の正面図および上面図に重なるように、それぞれにさらに実線の矢印を表示する。
【００４８】
矢印の向きは、ミリ波送受信部２１が取得した、ミリ波の到来方向を示す。矢印の長さは、受信電波測定部２２が測定した、受信電力、または、受信Ｓ／Ｎ比を示す。矢印の長さは、電力の絶対値、または、電力を規格化した数値を示してもよい。なお、最も良好な特性を示す測定結果を表示してもよいし、複数の測定結果を表示してもよい。
【００４９】
図５（ｂ）は、本実施形態に係る実線および破線の矢印の表示に関する具体例を示す図である。図５（ｂ）に示すように、表示部３２は、図面に向かって左側に通信端末２の正面図を表示し、図面に向かって右側に通信端末２の上面図を表示する。表示部３２は、正面図および上面図に重なるように、それぞれにさらに実線および破線の矢印を表示する。
【００５０】
実線の矢印は、最新の測定結果を示す。破線の矢印は、通信端末２の設置場所を変更する前の測定結果を示す。すなわち、通信端末２をある場所に置いて表示し、通信端末２の場所を変えて表示した場合、２回目以降は、前回測定時の状態との差分が分かるように表示される。
【００５１】
詳細には、まず、図５（ａ）に示すように、表示部３２は、ミリ波の受信状態を示す、実線の矢印を表示する。その後、ユーザが通信端末２の設置場所を変更し、受信状態の再測定を指示する。そうすると、図５（ｂ）に示すように、表示部３２は、図５（ａ）に示した実線の矢印を、過去のものを示す破線の矢印に変更し、また、新たな再測定結果を示す、実線の矢印を表示する。
【００５２】
なお、通信端末２の設置場所を変更した場合に、表示部３２は、過去の測定値を薄い色の矢印により表示し、最新の測定値を濃い矢印により表示してもよい。
【００５３】
図６は、本実施形態に係る複数の矢印の表示に関する具体例を示す図である。表示部３２は、通信端末２の正面図および上面図に重なるように、それぞれにさらに複数の実線の矢印を表示する。複数の実線の矢印は、複数の測定結果を示すものである。これは、最良の受信方向だけでなく、例えば、上位３個の受信方向および電力の大きさを表示する。これは、上位３個だけでなく、上位２個、または、上位４個以上にも適用可能である。
【００５４】
正面図および上面図における数字は、矢印の対応関係を示している。すなわち、正面図における矢印Ａ、Ｂ、Ｃは、それぞれ、上面図における矢印Ａ、Ｂ、Ｃに対応している。また、ユーザが矢印Ａ、Ｂ、Ｃの何れか１つを指定することにより、ミリ波のビームを選択することが可能である。
【００５５】
図７（ａ）は、本実施形態に係る大きい矢印の表示に関する具体例を示す図である。受信状態データは、ミリ波の到来方向に基づいて算出された、通信端末２を動かすべき方向（例えば、矢印の画像等）を含む。
【００５６】
通信端末２は、当該通信端末２を動かすべき方向を算出し、当該方向を表示するためのデータを表示装置３に送信する。詳細には、受信電波測定部２２は、ミリ波の到来方向に基づいて、通信端末２を動かすべき方向を算出し、外部接続部２５は、当該方向を表示するためのデータを表示装置３に送信する。
【００５７】
すなわち、通信端末２において、記憶部２３は、予め通信端末がミリ波を受信し易い方向を記憶する。受信電波測定部２２は、ミリ波の到来方向、および、当該通信端末がミリ波を受信し易い方向に基づいて、より良好な受信品質になるように、通信端末２の設置角度の変更を促すための矢印のデータを生成する。外部接続部２５は、表示装置３に当該矢印のデータを送信する。
【００５８】
一方、表示装置３は、通信端末２から通信端末２を動かすべき方向を表示するためのデータを受信し、表示する。すなわち、表示装置３において、外部接続部３１は矢印のデータを受信し、制御部３３は当該矢印のデータを表示部３２に表示させる。
【００５９】
表示部３２は、図７（ａ）の上面図に示すように、大きい矢印を表示する。この場合、さらに、表示部３２は、「ミリ波の到来方向に通信端末が受信し易い方向を合わせるように、通信端末を動かしてください」というメッセージを表示してもよい。
【００６０】
図７（ｂ）は、本実施形態に係る受信状態の時間的変化を示す矢印の表示に関する具体例を示す図である。受信状態データは、受信状態の時間的変化を表示するためのデータを含む。
【００６１】
表示部３２は、図７（ｂ）の正面図に示すように、３つの矢印Ａ、Ｂ、Ｃを表示し、また、選択候補である、３つの矢印Ａ、Ｂ、Ｃが示す各方向における受信電力および受信Ｓ／Ｎ比の少なくとも一方の時間的変化を示すグラフを表示する。また、表示部３２は、通信端末２の正面図および上面図において、時々刻々リアルタイムに各矢印の長さが変化するように表示する。なお、表示部３２は、常時グラフを表示してもよいし、ユーザの指示、受信電力および受信Ｓ／Ｎ比の少なくとも一方の変化等に応じて吹き出しによりグラフを表示してもよい。
【００６２】
（実施形態３の効果）
表示装置３の表示部３２が電波の到来方向を示す矢印を表示することにより、ミリ波の受信環境がよくするために、ユーザが通信端末２をどのように動かすべきかを示す指針を提示することができる。そして、電波の到来方向が明らかになることにより、その方向に通信端末２を移動して受信環境を改善するようにしたり、電波の到来方向において人が通ったり、物を置いたりしないようにすることが可能になる。
【００６３】
通信端末２の正面図と、通信端末２の上面図において、電波の到来方向を示す矢印を表示することにより、電波の到来方向を３次元的な方向が分かるように表示することができる。
【００６４】
電波が最も強く受信される方向が事前に分かる（例えば、基地局５の位置が既知である）場合に、表示装置３の表示部３２が、その方向と異なる方向の、長い矢印を表示したとき、何等かの、電波を妨げる要因があるという情報を提供することができる。
【００６５】
〔ソフトウェアによる実現例〕
無線通信システム１、１ａの端末、装置の制御ブロック（特に、制御部２４、３３、４３、および、４６）は、集積回路（ＩＣチップ）等に形成された論理回路（ハードウェア）によって実現してもよいし、ソフトウェアによって実現してもよい。
【００６６】
後者の場合、通信端末２、２ａ、表示装置３、制御端末４、４ａは、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６７】
〔まとめ〕
本発明の態様１に係る無線通信装置（通信端末２、２ａ）は、受信部（ミリ波送受信部２１）と、送信部（外部接続部２５、２７）と、制御部（２４）と、を備える無線通信装置であって、上記制御部が、上記受信部が受信するミリ波の受信状態を取得し、取得した上記受信状態に係る受信状態データを、上記送信部を介して、当該無線通信装置の外部にある表示装置（表示装置３、制御端末４ａ）に送信する。
【００６８】
上記の構成によれば、ミリ波の受信状態に係る受信状態データを、無線通信装置の外部にある表示装置に送信するので、ミリ波が表示装置を利用するユーザの影響を受けないため、ミリ波の受信状態を正確に取得することができる。
【００６９】
本発明の態様２に係る無線通信装置は、上記態様１において、外部の操作装置（制御端末４、４ａ）から操作データを受信する操作受信部（外部接続部２６、２７）をさらに備え、上記制御部が、上記操作データを受信したときに、上記受信状態を取得することとしてもよい。
【００７０】
上記の構成によれば、外部の操作装置から操作データを受信するので、ミリ波が操作装置を利用するユーザの影響を受けないため、ミリ波の受信状態を正確に取得することができる。
【００７１】
本発明の態様３に係る無線通信装置は、上記態様１および２において、上記受信状態が、ミリ波の到来方向、ならびに、受信電力および受信Ｓ／Ｎ比の少なくとも一方を含むこととしてもよい。
【００７２】
上記の構成によれば、表示装置に対して、ミリ波の到来方向、ならびに、受信電力および受信Ｓ／Ｎ比の少なくとも一方を表示するように支援することができる。
【００７３】
本発明の態様４に係る無線通信装置は、上記態様３において、上記受信状態データが、上記受信状態の時間的変化を表示するためのデータを含むこととしてもよい。
【００７４】
上記の構成によれば、表示装置に対して、ミリ波の受信状態の時間的変化を表示するように支援することができる。
【００７５】
本発明の態様５に係る無線通信装置は、上記態様１から３において、上記受信状態に係る情報を表示する表示部をさらに備えていることとしてもよい。
【００７６】
上記の構成によれば、無線通信装置においてミリ波の受信状態を表示することができる。
【００７７】
本発明の態様６に係る無線通信装置は、上記態様１から５において、上記受信状態データが、ミリ波の到来方向に基づいて算出された、当該無線通信装置を動かすべき方向を含むこととしてもよい。
【００７８】
上記の構成によれば、表示装置に対して、無線通信装置を動かすべき方向を表示するように支援することができる。
【００７９】
本発明の態様７に係る無線通信装置は、上記態様１から６において、上記無線通信装置が、映像データを生成する装置であって、上記受信状態を示す画像を、上記映像データに重畳させて上記表示装置に送信することとしてもよい。
【００８０】
上記の構成によれば、ミリ波の受信状態を映像データに重畳させて表示装置に送信するので、受信状態と、映像データとを同時に参照可能に表示させることができる。
【００８１】
本発明の態様８に係る無線通信装置は、受信部（ミリ波送受信部２１）と、上記受信部が受信するミリ波の受信状態を取得する受信電波測定部（２２）と、取得した上記受信状態に係る受信状態データを、当該無線通信装置の外部にある表示装置に送信する送信部（外部接続部２５、２７）と、を備える。
【００８２】
上記の構成によれば、ミリ波の受信状態に係る受信状態データを、無線通信装置の外部にある表示装置に送信するので、ミリ波が表示装置を利用するユーザの影響を受けないため、ミリ波の受信状態を正確に測定することができる。
【００８３】
本発明の態様９に係る通信システム（１）は、ミリ波を受信する無線通信装置（２、２ａ）と、上記無線通信装置の外部にある表示装置（３、４ａ）とを備えた通信システムであって、上記無線通信装置が、受信部（ミリ波送受信部２１）と、送信部（外部接続部２５、２７）と、制御部（２４）と、を備え、上記制御部が、上記受信部が受信するミリ波の受信状態を取得し、取得した上記受信状態に係る受信状態データを、上記送信部を介して上記表示装置に送信し、上記表示装置が、表示受信部（外部接続部３１、４５）と、表示部（３２、タッチパネル部４４）と、表示制御部（制御部３３、４６）と、を備え、上記表示制御部が、上記表示受信部を介して上記無線通信装置から上記受信状態データを受信し、受信した上記受信状態データに係る表示情報を上記表示部に表示する。
【００８４】
上記の構成によれば、ミリ波の受信状態に係る受信状態データを、無線通信装置の外部にある表示装置に送信するので、ミリ波が表示装置を利用するユーザの影響を受けないため、ミリ波の受信状態を正確に測定することができる。また、実際の視聴環境におけるミリ波の受信状態を表示することができ、ユーザが無線通信装置をより良好な受信環境に設置するように支援することができる。
【００８５】
本発明の態様１０に係る表示方法は、ミリ波を受信する無線通信装置と、上記無線通信装置の外部にある表示装置とを備えた通信システムの表示方法であって、上記無線通信装置が、ミリ波の受信状態を取得し、取得した受信状態に係る受信状態データを外部の表示装置に送信するステップと、上記表示装置が、上記無線通信装置から上記受信状態データを受信し、表示するステップと、含んでいる。
【００８６】
上記の構成によれば、ミリ波の受信状態に係る受信状態データを、無線通信装置の外部にある表示装置に送信するので、ミリ波が表示装置を利用するユーザの影響を受けないため、ミリ波の受信状態を正確に測定することができる。また、ミリ波の受信状態を表示するので、ユーザが無線通信装置をより良好な受信環境に設置するように支援することができる。
【００８７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８８】
１、１ａ  無線通信システム（通信システム）
２、２ａ  通信端末（無線通信装置）
３  表示装置
４  制御端末（操作装置）
４ａ  制御端末（表示装置、操作装置）
２１  ミリ波送受信部（受信部）
２２  受信電波測定部
２４  制御部
２５  外部接続部（送信部）
２６  外部接続部（操作受信部）
２７  外部接続部（送信部、操作受信部）
３１  外部接続部（表示受信部）
３２  表示部
３３  制御部（表示制御部）
４４  タッチパネル部（表示部）
４５  外部接続部（表示受信部）
４６  制御部（表示制御部）
【図１】
2019106689.tif 000003
【図２】
2019106689.tif 000004
【図３】
2019106689.tif 000005
【図４】
2019106689.tif 000006
【図５】
2019106689.tif 000007
【図６】
2019106689.tif 000008
【図７】
2019106689.tif 000009